(57)【特許請求の範囲】
【請求項１】
副変速機を備えた自動変速機の油圧制御装置であって、
ノーマルオープンソレノイドバルブと、マニュアルバルブとを備え、
フェールセーフ時における、スプリットモードから自動変速機モードへの切替えは、
前記ノーマルオープンソレノイドバルブからの出力圧に基づく第１導入圧と、
前記マニュアルバルブからの第２導入圧と、によって切替えられ、
前進段では、前記第２導入圧が優先されて前記スプリットモードが維持され、
前進段以外では、前記第１導入圧が優先されて前記自動変速機モードに切り替わる、２段階の制御でされ、
フェールセーフバルブを備え、
前記フェールセーフバルブは、前記ノーマルオープンソレノイドバルブからの導入圧により、
前記自動変速機を所定の変速比に移行し、
トルクコンバータのロックアップを解除し、
前記自動変速機モード用クラッチ圧を供給する、
ことを特徴とする油圧制御装置。
【請求項２】
通常走行時には自動変速機のみが駆動する自動変速機モードで走行し、高速走行時には前記自動変速機の変速を補助するために備えた副変速機のみ、又は、該副変速機と前記自動変速機とを併用して駆動するスプリットモードで走行する自動変速機の油圧制御装置であって、
ノーマルオープンソレノイドバルブと、マニュアルバルブとを備え、
フェールセーフ時における、前記スプリットモードから自動変速機モードへの切替えは、
前記ノーマルオープンソレノイドバルブからの出力圧に基づく第１導入圧と、
前記マニュアルバルブからの第２導入圧と、によって切替えられ、
前進段では、前記第２導入圧が優先されて前記スプリットモードが維持され、
前進段以外では、前記第１導入圧が優先されて前記自動変速機モードに切り替わる、
ことを特徴とする請求項１に記載の油圧制御装置。
【請求項３】
第１フェールセーフバルブである前記フェールセーフバルブと、第２フェールセーフバルブと、を備え、
前記第１フェールセーフバルブは、前記ノーマルオープンソレノイドバルブからの導入圧により、
前記自動変速機を所定の変速比に移行し、
トルクコンバータのロックアップを解除し、
前記自動変速機モード用クラッチ圧を供給し、
前記第２フェールセーフバルブは、前記ノーマルオープンソレノイドバルブからの導入圧と、前記マニュアルバルブからの導入圧とにより作動し、
前記マニュアルバルブが前進段のときは、該マニュアルバルブからの導入圧が優先されて前記スプリットモードを維持し、
前記マニュアルバルブが前進段以外のときには、前記ノーマルオープンソレノイドバルブからの導入圧が優先されて前記自動変速機モードに切り替わる、
ことを特徴とする請求項１〜２に記載の油圧制御装置。
【請求項４】
前記フェールセーフバルブと、スプリットモード用バルブと、を備え、
前記フェールセーフバルブは、前記ノーマルオープンソレノイドバルブからの導入圧により、
前記自動変速機を所定の変速比に移行し、
トルクコンバータのロックアップを解除し、
前記自動変速機モード用クラッチ圧を供給し、
前記スプリットモード用バルブは、前記ノーマルオープンソレノイドバルブからの導入圧を受けた前記フェールセーフバルブからの導入圧と、前記マニュアルバルブからの導入圧とにより作動し、
前記マニュアルバルブが前進段のときは、該マニュアルバルブからの導入圧が優先されて前記スプリットモードを維持し、前記マニュアルバルブが前進段以外のときには、前記フェールセーフバルブからの導入圧が優先されて前記自動変速機モードに切り替わる、
ことを特徴とする請求項１〜２に記載の油圧制御装置。
【発明の詳細な説明】
【技術分野】
【０００１】
本発明は、自動変速機と副変速機とを備えた車両用スプリット型自動変速機の油圧制御装置に関する。
【背景技術】
【０００２】
自動変速機に副変速機を備えたスプリット型の車両用自動変速機が提供されている。変速機の変速範囲を拡大するため、自動変速機と、自動変速機の増速側より高い高速ギヤ段を有する副変速機とを備えており、発進時から高速走行までの変速は自動変速機が担い自動変速機モードで走行し、高速走行時においては副変速機に切り替えてスプリットモードで走行することで、自動変速機における高速走行時の燃費の低下を回避している。
【０００３】
例えば、特許文献１では、自動変速機のひとつである無段変速機に、複数の前進ギヤ段に選択的に切り換えられる副変速機を備えたスプリット型の車両用自動変速機の油圧制御装置が開示されている。しかしながら、油圧制御装置を構成する要素に何らかの不具合が生じて、通常の走行が不可能となった場合に、リンプホームを可能とするフェールセーフ回路については言及されていない。
【０００４】
上記のリンプホームとは、故障車両が内燃機関や自動変速機等の他の部品の損傷を抑えつつ、乗員を安全に帰宅させるために、車両用自動変速機に装備されるものである。従って、特許文献１の油圧制御装置においては、油圧制御装置に不具合が発生した場合、フェールセーフ回路が構成できず、故障車両が内燃機関や自動変速機等その他の部品の損傷を抑えながら、乗員を安全に帰宅させることが困難となるという問題が残る。
【先行技術文献】
【特許文献】
【０００５】
【特許文献１】特開平５−７９５５４号公報
【発明の概要】
【発明が解決しようとする課題】
【０００６】
本発明は、上記課題に鑑み創作されたものであり、自動変速機と副変速機とを備えたスプリット型自動変速機において、油圧制御装置を構成する要素に何らかの不具合が生じた場合に、安全かつ確実にフェールセーフ回路を構成し、リンプホームが可能な油圧制御装置の提供を目的とする。
【課題を解決するための手段】
【０００７】
本発明は、通常走行時には自動変速機のみが駆動する自動変速機モードで走行し、高速走行時には前記自動変速機の変速を補助するために備えた副変速機のみ、又は、該副変速機と前記自動変速機とを併用して駆動するスプリットモードで走行する自動変速機の油圧制御装置を提供する。この油圧制御装置では、副変速機を備えた自動変速機の油圧制御装置であって、ノーマルオープンソレノイドバルブと、マニュアルバルブとを備え、フェールセーフ時における、スプリットモードから自動変速機モードへの切替えは、前記ノーマルオープンソレノイドバルブからの出力圧に基づく第１導入圧と、前記マニュアルバルブからの第２導入圧と、によって切替えられ、前進段では、前記第２導入圧が優先されて前記スプリットモードが維持され、前進段以外では、前記第１導入圧が優先されて前記自動変速機モードに切り替わる、２段階の制御でされ、フェールセーフバルブを備え、前記フェールセーフバルブは、前記ノーマルオープンソレノイドバルブからの導入圧により、前記自動変速機を所定の変速比に移行し、トルクコンバータのロックアップを解除し、前記自動変速機モード用クラッチ圧を供給する。
【０００８】
また、前記油圧制御装置は、
第１フェールセーフバルブと、第２フェールセーフバルブと、を備え、
前記第１フェールセーフバルブは、前記ノーマルオープンソレノイドバルブからの導入圧により、
前記自動変速機を所定の変速比に移行し、
トルクコンバータのロックアップを解除し、
前記自動変速機モード用クラッチ圧を供給し、
前記第２フェールセーフバルブは、前記ノーマルオープンソレノイドバルブからの導入圧と、前記マニュアルバルブからの導入圧とにより作動し、
前記マニュアルバルブが前進段のときは、該マニュアルバルブからの導入圧が優先されて前記スプリットモードを維持し、
前記マニュアルバルブが前進段以外のときには、前記ノーマルオープンソレノイドバルブからの導入圧が優先されて前記自動変速機モードに切り替わる。
【０００９】
詳しくは後述するが、上記によって、スプリット型自動変速機において、第１フェールセーフバルブと、第２フェールセーフバルブとを備えることにより、油圧制御を指示する変速機ＥＣＵ（油圧制御指示手段）が故障した場合でも、安全かつ確実にフェールセーフ回路を構成し、スプリットモードから自動変速機モードに切替えられ、リンプホーム機能により自宅や整備工場まで走行することが可能となる。
【００１０】
また、前記油圧制御装置は、
フェールセーフバルブと、スプリットモード用バルブと、を備え、
前記フェールセーフバルブは、前記ノーマルオープンソレノイドバルブからの導入圧により、
前記自動変速機を所定の変速比に移行し、
トルクコンバータのロックアップを解除し、
前記自動変速機モード用クラッチ圧を供給し、
前記スプリットモード用バルブは、前記ノーマルオープンソレノイドバルブからの導入圧を受けた前記フェールセーフバルブからの導入圧と、前記マニュアルバルブからの導入圧とにより作動し、
前記マニュアルバルブが前進段のときは、該マニュアルバルブからの導入圧が優先されて前記スプリットモードを維持し、
前記マニュアルバルブが前進段以外のときには、前記フェールセーフバルブからの導入圧が優先されて前記自動変速機モードに切り替わる。
【００１１】
詳しくは後述するが、上記によって、スプリット型自動変速機において、フェールセーフバルブと、スプリットモード用バルブとを備えることにより、油圧制御を指示する変速機ＥＣＵ（油圧制御指示手段）が故障した場合でも、安全かつ確実にフェールセーフ回路を構成し、スプリットモードから自動変速機モードに切替えられ、リンプホーム機能により自宅や整備工場まで走行することが可能となる。
【発明の効果】
【００１２】
本発明の油圧制御装置によれば、スプリット型自動変速機の油圧回路を制御する油圧制御指示手段が故障した場合に、まず、自動変速機を所定の変速比に移行し、トルクコンバータのロックアップを解除し、自動変速機モード用クラッチ圧を供給可能にする。次に、マニュアルバルブが前進段以外にシフトされたときに、スプリットモード用クラッチ圧を遮断し、自動変速機モードによる走行へ移行させる。
【００１３】
上記により、安全かつ確実にフェールセーフモードへの切替えができ、リンプホーム機能により自宅や整備工場まで走行することが可能となる。
【図面の簡単な説明】
【００１４】
【図１】本発明の一実施形態に係る油圧制御装置を構成する油圧制御用ＥＣＵとスプリット型自動変速機を示す概念図である。
【図２】本発明の一実施形態に係る油圧制御装置が用いられる車両用スプリット型自動変速機の構造を示す略図である。
【図３】本発明の一実施形態に係る油圧制御装置が用いられる油圧制御部の油圧回路例の略図である。
【図４】本発明の一実施形態に係る油圧制御装置において、フェール時に第１段階で行われる制御の概要を示す略図である。
【図５】本発明の一実施形態に係る油圧制御装置において、フェール時に第２段階で行われる制御の概要を示す略図である。
【図６】本発明の別実施形態に係る油圧制御装置が用いられる油圧制御部の油圧回路例の略図である。
【図７】本発明の別実施形態に係る油圧制御装置において、フェール時に第１段階で行われる制御の概要を示す略図である。
【図８】本発明の別実施形態に係る油圧制御装置において、フェール時に第２段階で行われる制御の概要を示す略図である。
【図９】本発明の油圧制御装置を適用可能な、別実施形態の車両用スプリット型自動変速機の構造を例示する略図である。
【発明を実施するための形態】
【００１５】
《スプリット型自動変速機の走行モード切替え》
本発明の油圧制御装置６０について説明する前提として、本発明の実施の形態に係るスプリット型自動変速機２００の走行モード切替え制御について、本発明の一実施形態に係る油圧制御装置を構成する油圧制御用ＥＣＵと、スプリット型自動変速機とを示す概念図である図１〜図２を参照しながら詳細に説明する。
【００１６】
図１に示すように、スプリット型自動変速機２００（以下、単に「スプリット型変速機」とも称す）は、スプリット型変速機２００の内部にベルト式自動変速機１００（以下、単に「ＣＶＴ」とも称す）と、副変速機１１０とを備える。
【００１７】
尚、ベルト式自動変速機１００に代えて、図示しない有段自動変速機を備えることも可能である。
【００１８】
図２に示すように、スプリット型自動変速機２００の入力軸は、流体継手の一種であるトルクコンバータ６（以下、単に「トルコン」とも称する）等の動力伝達手段を介して、内燃機関２２０（以下、「エンジン」とも称する）の出力軸、一例としてクランクシャフトに接続される。また、上記スプリット型変速機２００の出力軸は、図示しないデファレンシャルギヤ（図２に２５０として示す）等を介して駆動輪１３０に接続される。内燃機関２２０の回転がスプリット型変速機２００によって変速されて駆動輪１３０へ伝達されることにより、図示しない車両は走行する。
【００１９】
スプリット型自動変速機２００は、概ねベルト式自動変速機１００と、副変速機１１０と、油圧制御部１２０とにより構成される。内燃機関２２０から入力された動力はベルト式自動変速機１００、及び／又は副変速機１１０により変速され、駆動輪１３０へ出力される。
【００２０】
上述したようにスプリット型変速機２００は、図１のＣＶＴ１００と、副変速機１１０とを有し、走行状態によって、走行に使用する変速手段をＣＶＴ１００、及び／又は副変速機１１０に切替える。走行状態は、図示しない検出手段、例えば車速センサ、エンジン回転速度センサ等からの信号を受けたスプリット型自動変速機ＥＣＵ１５０（油圧制御指示手段（以下、単に「変速機ＥＣＵ」とも称する）により判定される。
【００２１】
エンジン２２０は、図示しない検出手段、例えば車速センサ、アクセル開度センサ等からの信号を受けた内燃機関ＥＣＵ１５１（以下、「エンジンＥＣＵ」とも称する）から出力される、燃料噴射制御信号１５８等により運転状態が制御される。
【００２２】
上記した信号を受けて走行状態を判定した変速機ＥＣＵ１５０は、自動変速機走行モード（以下、「自動変速機モード」とも称す）と、副変速機走行モード（以下、「スプリットモード」とも称す）とのいずれのモードで走行するかを判断し、上記自動変速機走行モードを選択したときは自動変速機クラッチ圧制御信号１５２を、上記副変速機走行モードを選択したときは副変速機クラッチ圧制御信号１５４を、それぞれスプリット型変速機２００が備える油圧制御部１２０へ出力する。
【００２３】
上記信号を受けた油圧制御部１２０は、自動変速機クラッチ圧制御信号１５２を受けた場合には自動変速機クラッチ圧（Ｐｃ）の制御を開始する。また、副変速機クラッチ圧制御信号１５４を受けた場合には副変速機クラッチ圧（Ｐｓ）の制御を開始する。
【００２４】
また、上記信号を受けて走行状態を判定した変速機ＥＣＵ１５０は、上記トルクコンバータ６のロックアップクラッチ７を係合するか否かを判断し、係合を選択したときはロックアップクラッチ制御圧信号１５６を、スプリット型変速機２００が備える油圧制御部１２０へ出力する。
【００２５】
上記信号を受けた油圧制御部１２０は、直結クラッチ７の係合制御を開始する。直結クラッチ７の係合が完了すると、トルコン６の内部滑りは無くなり、エンジン２２０のクランクシャフト回転がそのままスプリット型変速機２００への入力回転となる。これにより、トルコン６の内部滑りによる動力伝達ロスが解消され、スプリット型変速機２００の伝達効率が向上されて、燃費が改善される。
【００２６】
《スプリット型自動変速機の構造と変速方法》
次に、本発明の油圧制御装置について説明する前提として、スプリット型自動変速機の構造と変速方法の概略について、本発明の一実施形態に係る油圧制御装置が適用される車両用スプリット型自動変速機の構造を示す略図である図２を参照しながら詳細に説明する。
【００２７】
車両（図示せず）が、停止状態から発進しようとする場合、前進クラッチ２が係合されると、エンジン２２０からトルコン６を介して、スプリット型変速機２００の入力軸２３０へ入力された動力は、ギヤ３からギヤ４へ伝達される。
【００２８】
また、スプリット型変速機２００では、発進時から巡航速度域での走行時にかけてはＣＶＴ１００により走行、及び変速を行う。このため、図１の変速機ＥＣＵ１５０から自動変速機クラッチ圧制御信号１５２が出力され、油圧制御部１２０により、自動変速機走行モードに用いる、図２に示す自動変速機モードクラッチ１０が制御油圧により係合される。
【００２９】
上記により、エンジン２２０からスプリット型変速機２００の入力軸２３０へ入力された動力は、ＣＶＴ１００のＣＶＴベルト１０２を介して出力軸２４０へ伝達され、さらにデファレンシャルギヤ２５０などを介して駆動輪１３０へ出力される。
【００３０】
ＣＶＴ１００は、入力側プーリ１０４と、出力側プーリ１０６とを具備し、各プーリの溝幅を変化させ、ＣＶＴベルト１０２の有効径（巻き掛け径）を入力側プーリ１０４と出力側プーリ１０６とで互いに変化させることで、変速を行う。具体的には、発進時には入力側プーリ１０４の溝幅を最も広くし、出力側プーリ１０６の溝幅を最も狭くする。上記により、入力側プーリ１０４のＣＶＴベルト１０２の有効径（巻き掛け径）は最小となり、出力側プーリ１０６のＣＶＴベルト１０２の有効径は最大となり、減速比が最大となる。
【００３１】
上記で減速比が最大（最Ｌｏｗ状態）となった状態で、エンジン２２０からの入力回転を最小にまで減速して駆動輪１３０へ出力し、図示しない車両を発進させる。発進後は、運転者（図示せず）の所望する車両速度が、アクセルペダル（図示せず）により図１の変速機ＥＣＵ１５０、及びエンジンＥＣＵ１５１へ入力され、変速機ＥＣＵ１５０からの制御に応じて図２に示す入力側プーリ１０４の溝幅を徐々に狭めるとともに、出力側プーリ１０６の溝幅を徐々に広げ、減速比を連続的に無段階に変化させるよう制御を行う。
【００３２】
図１に示すように、変速機ＥＣＵ１５０と、エンジンＥＣＵ１５１とは情報（データ）、例えばアクセル開度、車速、変速比等を相互間で授受している。これにより、上記したＣＶＴ１００の減速比制御と同時に、エンジン２２０を、エンジンＥＣＵ１５１からの燃料噴射制御信号１５８等により高効率回転領域で運転することにより、運転者の所望する車両速度で走行しながら低燃費を可能としている。
【００３３】
しかし、ベルト式自動変速機１００は、高速走行時、即ち減速比が小さく、入力回転より出力回転が大となるオーバードライブ状態（Ｈｉｇｈ状態）ではエネルギー効率が悪化する。詳述すると、図２において、オーバードライブ状態では入力側プーリ１０４の溝幅を最も狭くし、出力側プーリ１０６の溝幅を最も広くして走行する。
【００３４】
上記の場合、入力側プーリ１０４のＣＶＴベルト１０２の有効径（巻き掛け径）は最大となり、出力側プーリ１０６のＣＶＴベルト１０２の有効径は最小となり、出力側プーリの回転数が入力側プーリの回転数より大きくなって、エンジン２２０からの入力回転数よりも大きな出力回転を駆動輪１３０に付与することができ、高速走行が可能となる。
【００３５】
上述したように、オーバードライブ状態での高速走行時には入力側プーリ１０４の溝幅を最も狭くした状態を維持する必要がある。上記の状態を維持するためには、油圧ポンプ（図示せず）で高圧の作動油を大量に発生させ、入力側プーリ１０４を押し付け、溝幅を狭くした状態を維持する必要がある。
【００３６】
上記の図示しない油圧ポンプはエンジン２２０により駆動される構造となっており、高圧の作動油を大量に発生させるとエンジン２２０が発生させたエネルギーのうち、油圧ポンプの駆動のために消費される割合が増加し、図示しない車両を走行させるために使用可能なエネルギーが減少する。このため、オーバードライブ状態での高速走行時にはエネルギー伝達効率が低下し、燃費が悪化してしまう。
【００３７】
また、高速走行時にはＣＶＴベルト１０２も高速で回転するが、ＣＶＴベルト１０２を構成する図示しないエレメント部材同士の摩擦によるエネルギー損失（熱ロス）が高速回転状態では大きくなり、これもエネルギー伝達効率の低下や燃費の悪化の一因となる。
【００３８】
上述した、高速走行時のエネルギー効率の低下や燃費の悪化を防止するため、スプリット型自動変速機２００には副変速機１１０が備えられる。
【００３９】
図２の副変速機１１０は、スプリットモードクラッチ２０を係合することで、遊星ギヤ３０のリングギヤ３２の外周部に設けられた大径スプロケット３４から、小径スプロケット３６へ、チェーン３８を介して入力軸２３０からのエンジン回転を出力軸２５０へ増速して出力するように構成されている。
【００４０】
かかる構成にしておくことにより、図示しない車両がベルト式自動変速機１００を用いて停車状態から発進し、低速走行状態（Ｌｏｗ状態）から加速してオーバードライブ状態（Ｈｉｇｈ状態）での巡航走行や高速走行に至った場合、動力の伝達手段を副変速機１１０に切り替えることが可能となる。
【００４１】
上述した方法により、停車状態から発進、加速し高速走行状態に至るまでの間は、ＣＶＴ１００により変速しエンジン２２０を高効率回転領域で運転させ、高速走行状態では副変速機１１０により増速状態を維持し、エンジン２２０の運転を高効率回転領域で継続させることで、高速走行時の低燃費化を実現し得る。
【００４２】
尚、上記では大径スプロケット３４から、小径スプロケット３６へ、チェーン３８を介して、入力回転を増速して出力することとしたが、動力伝達手段、及び増速手段はこれに限られるものではない。例えば、大径ギヤから小径ギヤへ、カウンターギヤ（中間ギヤ）を介して動力を伝達し、増速すること等も可能である。
【００４３】
上記の自動変速機モードと、スプリットモードとの切替えは、図２の自動変速機モードクラッチ１０と、スプリットモードクラッチ２０と、を持ち替えることで行われる。
【００４４】
自動変速機モードからスプリットモードへ移行した後、ＣＶＴ１００は、ＣＶＴベルト１０２の減速比を、オーバードライブ状態時のＨｉｇｈ状態から、低速走行状態時のＬｏｗ状態の方向へ移行させる。
【００４５】
スプリットモードにおいて、ＣＶＴ１００の減速比をＨｉｇｈ状態からＬｏｗ状態の方向へ移行させることにより、スプリットモードでの減速比はさらに小さく（増速状態）なる。これにより、エンジン２２０の回転速度をさらに低下させて高効率な状態で運転しながら、高速で走行することを可能としている。
【００４６】
また、トルクコンバータ６は、図示しない車両が停止状態から発進して、巡航走行や高速走行等の定常走行状態に移行すると、上述したように、走行状態を判定した図１の変速機ＥＣＵ１５０からのロックアップクラッチ制御圧信号１５６により、直結クラッチ７が係合される。これにより、トルコン６の内部滑りは無くなり、エンジン２２０のクランクシャフト回転がそのままスプリット型変速機２００への入力回転となり、さらなる燃費の低減が可能となる。
【００４７】
換言すれば、巡航走行や高速走行等の定常走行状態では、スプリットモードクラッチ２０が係合され、かつ自動変速機モードクラッチ１０が解放されて、スプリットモードで走行している。このとき、トルコン６は直結クラッチ７が係合されて、直結状態となっている。
【００４８】
上記のスプリットモードでの走行中に、油圧制御装置１６０を構成する要素、一例として油圧制御部１２０に何らかの不具合が生じて、通常の走行が不可能となった場合に、上述したリンプホームを可能とするフェールセーフ回路が構成される。
【００４９】
リンプホームを可能とするためには、フェールセーフ回路を構成することにより、ベルト式自動変速機１００の変速比（減速比）を略１とし、トルコン６の直結状態を解除し、走行モードをスプリットモードから自動変速機モードへ移行させる必要がある。
【００５０】
しかしながら、スプリットモードでの走行中にフェールセーフ回路を構成した場合、スプリットモードから自動変速機モードへ強制的に、瞬時に移行することとなる。このスプリットモードでは、上述したようにＣＶＴ１００はＬｏｗ状態の方向に移行している。
【００５１】
副変速機１１０を介して動力伝達を行って高速で走行しているスプリットモードから、ＣＶＴ１００で動力伝達を行う自動変速機モードに瞬時に移動した場合、高速走行状態で、Ｌｏｗ状態にあるＣＶＴ１００による走行モードに移行するため、エンジンが過回転して損傷したり、大きなエンジンブレーキ力が生じて車両の挙動が乱れてしまうことが懸念される。
【００５２】
また、図２のＣＶＴ１００に代えて、図示しない有段自動変速機を備えるスプリット型自動変速機においても、１速（最Ｌｏｗ状態）で発進、加速して、最上変速段、一例として６速でのオーバードライブ状態（Ｈｉｇｈ状態）での巡航走行や高速走行に至った場合、動力の伝達手段を副変速機１１０に切り替える。即ち、自動変速機モードからスプリットモードへ切り替える。
【００５３】
自動変速機モードからスプリットモードへ移行した後、上記有段自動変速機は、その減速比を、オーバードライブ状態時の６速から、低速走行状態時のＬｏｗ状態の１速方向へ変速させる。
【００５４】
従って、有段自動変速機（図示せず）を備えるスプリット型自動変速機においても、副変速機１１０を介して動力伝達を行って高速で走行しているスプリットモードから、図示しない自動変速機で動力伝達を行う自動変速機モードに瞬時に移動した場合、上述したＣＶＴの場合と同様に、高速走行状態において、Ｌｏｗ状態の１速側にある上記有段自動変速機による走行モードに移行するため、エンジンが過回転して損傷したり、大きなエンジンブレーキ力が生じて車両の挙動が乱れてしまうことが懸念される。
【００５５】
《本発明の油圧制御装置における制御ついて》
【００５６】
本発明の油圧制御装置６０は、上述したようなスプリットモードから自動変速機モードへ強制的に、瞬時に移行することを防止し、安全かつ確実にフェールセーフモードへの切替えができ、リンプホームが可能となる。以下、本発明の一実施形態に係る油圧制御装置６０における、スプリットモードで走行中のフェールセーフ回路の構成について図１、及び図３を参照しながら説明する。
【００５７】
油圧制御装置６０は、通常走行時には図１に示すベルト式自動変速機１００のみが駆動する自動変速機モードで走行し、巡航走行や高速走行時にはベルト式自動変速機１００の変速を補助するために備えた副変速機１１０のみ、又は、副変速機１１０とベルト式自動変速機１００とを併用して駆動するスプリットモードで走行するスプリット型自動変速機２００の油圧制御を行う。
【００５８】
本発明の一実施形態に係る油圧制御装置６０が用いられる、図１に示す油圧制御部１２０の油圧回路例の略図である図３に示すように、油圧制御装置６０は、少なくとも、非制御時に油圧経路が連通するノーマルオープンのプライマリプーリ用ソレノイドバルブ５５と、シフト操作により油路を切り換えるマニュアルバルブ２７と、第１フェールセーフバルブ１１と、第２フェールセーフバルブ１２とを備える。
【００５９】
図１のスプリット型自動変速機２００の変速機ＥＣＵ１５０から、油圧制御部１２０への制御信号である自動変速機クラッチ圧制御信号１５２や副変速機クラッチ圧制御信号１５４が出力されなくなった場合、例えば、変速機ＥＣＵ１５０が故障したり、変速機ＥＣＵ１５０から油圧制御部１２０へ制御信号等を伝えるハーネス（図示せず）が断線した場合、通常の制御を行うことは不可能である。
【００６０】
従って、スプリットモードから自動変速機モードへの切替えが不能となる。換言すれば、変速機ＥＣＵ１５０が故障したり、変速機ＥＣＵ１５０から油圧制御部１２０へ制御信号等を伝えるハーネスが断線した状態では、スプリットモードクラッチ２０が係合したままとなり、自動変速機モードへの移行は不可能である。
【００６１】
上記のフェール状態となったことは、変速機ＥＣＵ１５０が故障等した場合においては、一例として以下に記す手順により判定することが可能である。図１において、例えばスプリットモードでの走行中にアクセル開度が不変であるにも関わらず、車両速度が低下した場合、エンジンＥＣＵ１５１が備える車速センサ（図示せず）やアクセル開度センサ（図示せず）によりアクセル開度と、車両速度の低下とが検知され、エンジンＥＣＵ１５１により、車両（図示せず）が上り坂に突入したと判定される。
【００６２】
上述したように、エンジンＥＣＵ１５１と、変速機ＥＣＵ１５０とは情報（データ）、例えばアクセル開度、車速、変速比等を相互間で授受している。従って、上記の判定がされると、エンジンＥＣＵ１５１から変速機ＥＣＵ１５０へ、スプリットモードを中止して、自動変速機モードへ移行し、変速比を最適化する指示信号が出力される。
【００６３】
変速機ＥＣＵ１５０が正常であれば、変速比が最適化されて走行を続けることができる。しかし、エンジンＥＣＵ１５１から変速機ＥＣＵ１５０へ、スプリットモードを中止して、自動変速機モードへ移行し、変速比を最適化する指示信号が出力された後も車両速度が継続して低下していることが、エンジンＥＣＵ１５１が備える車速センサ（図示せず）等により検知された場合、エンジンＥＣＵ１５１により、変速機ＥＣＵ１５０は故障したと判定される。
【００６４】
《本発明の油圧制御装置の一実施形態におけるフェール時の第１段階の制御ついて》
上記のように、変速機ＥＣＵ１５０が故障したフェール状態と判定された場合、本発明の油圧制御装置６０では、２段階に分けて自動変速機モードへ移行させる。まず、第１段階の制御について図４を参照しながら詳細に説明する。第１段階の制御では、図１の自動変速機１００を所定の変速比に移行し、トルクコンバータ６のロックアップを解除し、自動変速機モード用クラッチ１０の係合圧Ｐｃを供給可能な状態に準備する。
【００６５】
本発明の油圧制御装置６０は、少なくとも、第１フェールセーフバルブ１１と、第２フェールセーフバルブ１２とを備える。第１フェールセーフバルブ１１はフェール状態のとき、ノーマルオープンのプライマリプーリ用ソレノイドバルブ５５からの導入圧Ｐ１により、図１〜図２に示す自動変速機１００を所定の変速比に移行し、トルクコンバータ６のロックアップを解除し、自動変速機モード用クラッチ１０の係合圧Ｐｃを供給する。
【００６６】
また、第２フェールセーフバルブ１２は、ノーマルオープンのプライマリプーリ用ソレノイドバルブ５５からの導入圧Ｐ１と、マニュアルバルブ２７からの導入圧Ｐｄとにより作動する。マニュアルバルブ２７が前進段のときは、マニュアルバルブ２７からの前進段時クラッチ元圧Ｐｄが優先されてスプリットモードを維持し、マニュアルバルブ２７が前進段以外のときには、ノーマルオープンのプライマリプーリ用ソレノイドバルブ５５からの導入圧Ｐ１が優先されて自動変速機モードに切り替わる。
【００６７】
スプリットモードでの走行中にフェール状態と判定されると、本発明の一実施形態に係る油圧制御装置６０において、フェール時に第１段階で行われる制御の概要を示す略図である図４に示すように、プライマリプーリ用ソレノイドバルブ５５からのＰ１圧が、第１フェールセーフバルブ１１に導入される。
【００６８】
このとき、変速機ＥＣＵ１５０が故障したフェール状態であるため、通常時に電気的に制御可能なバルブ、即ちソレノイドバルブは、制御が中止された状態となっている。従って、上記でプライマリプーリ用ソレノイドバルブ５５から出力されるＰ１圧は、プライマリプーリ用ソレノイドバルブ５５で制御された圧ではなく、油圧、及び／又はバネ力のバランスにより作動する、一般にスプールバルブと称されるバルブのみによって調圧された油圧である。
【００６９】
詳述すると、油圧発生手段、一例として、図示しないエンジン（図１に２２０として示す）で駆動される図示しないオイルポンプで発生された油圧Ｐｐが、クラッチモジュレータバルブ７０で調圧されてクラッチモジュレータ圧（以下、単に「モジュレータ圧」とも称する）Ｐｍとなり、プライマリプーリ用ソレノイドバルブ５５に導入される。
【００７０】
このとき、プライマリプーリ用ソレノイドバルブ５５は、ノーマルオープン（非制御時に連通）であるため、制御の中止により全開状態となっている。これにより、モジュレータ圧Ｐｍが、プライマリプーリ用ソレノイドバルブ５５を介してＰ１圧として出力される。
【００７１】
Ｐ１圧が、第１フェールセーフバルブ１１へ導入されると、図示しないベルト式自動変速機（図１〜図２に１００として示す）は、変速比が略１の状態に移行される。
【００７２】
詳述すると、Ｐ１圧が第１フェールセーフバルブ１１に導入されると、第１フェールセーフバルブ１１は、図４の左半分に示す状態から、右半分に示す状態へ移行する。第１フェールセーフバルブ１１が図４の右側の状態になると、クラッチモジュレータバルブ７０で調圧されたモジュレータ圧Ｐｍが、第１フェールセーフバルブ１１を介してプライマリレギュレータバルブと、プライマリプーリ制御バルブ（図示せず）とに供給される。
【００７３】
上記プライマリレギュレータバルブの移動により、制御元圧であるライン圧はフェール時ライン圧Ｐｆへ、上記プライマリプーリ制御バルブに供給されるプライマリ制御圧はフェール時プライマリ圧Ｐｐｆへ、各々低下される。
【００７４】
このとき、図示しないセカンダリプーリ用ソレノイドバルブは、上述したようにフェール状態のため制御が中止されている。セカンダリプーリ用ソレノイドバルブ（図示せず）は、ノーマルオープン（非制御時に連通）であるため、制御の中止により全開状態となるが、元圧がフェール時ライン圧Ｐｆであるため、セカンダリプーリ用ソレノイドバルブ（図示せず）からの出力圧は、フェール時ライン圧Ｐｆとなる。
【００７５】
即ち、図４において、図示しないプライマリプーリ制御バルブに供給される圧力は、フェール時プライマリ圧Ｐｐｆとなる。また、図示しないセカンダリプーリ制御バルブに供給される圧力は、フェール時ライン圧Ｐｆとなる。これにより、図示しないプライマリプーリ（入力プーリ）と、セカンダリプーリ（出力プーリ）（図２に１０４、１０６として示す）とにおいて、図示しないＣＶＴベルト（図２に１０２として示す）を挟持する力は略同一となり、変速比が略１の状態に移行される。
【００７６】
また、図４において、上記で第１フェールセーフバルブ１１が図４の右側の状態になると、図示しないロックアップコントロールバルブには、第１フェールセーフバルブ１１を通過してモジュレータ圧Ｐｍが供給される。
【００７７】
上記により、トルコン（図示せず）の直結クラッチ（図示せず）を係合させていた、図示しないセカンダリレギュレータバルブからのロックアップ元圧Ｐｕの連通先が、上記トルコンの上記直結クラッチを係合させるポート（図示せず）から、上記直結クラッチを解放させるポート（図示せず）に切り替わる。これにより、上記トルクコンバータのロックアップが解除される。
【００７８】
また、スプリットモードでの走行中にフェール状態と判定されると、図４に示すように、プライマリプーリ用ソレノイドバルブ５５からのＰ１圧が、第２フェールセーフバルブ１２にも導入される。これにより、第２フェールセーフバルブ１２を、図４の左半分に示す状態から、右半分に示す状態へ移行させようとする力が発生する。
【００７９】
しかしながら、このとき、第２フェールセーフバルブ１２のバネ室１２ｓに、モジュレータ圧Ｐｍがマニュアルバルブ２７を介して前進段時クラッチ元圧Ｐｄとして供給されている。これにより、第２フェールセーフバルブ１２は図４の左半分に示す状態に維持される。
【００８０】
詳述すると、図示しないシフトレバーが前進段（前進レンジ）、例えば通常走行用のＤレンジにあるとき、マニュアルバルブ２７は図４の上半分に示す状態にある。これにより、モジュレータ圧Ｐｍがマニュアルバルブ２７を介して、前進段時クラッチ元圧Ｐｄとして、第２フェールセーフバルブ１２へ供給される。
【００８１】
上記において、前進段時クラッチ元圧Ｐｄは、クラッチモジュレータバルブ７０からマニュアルバルブ２７を介して、第２フェールセーフバルブ１２へ供給される。これは上記したＳレンジ、及びＢレンジにおいても同様である。
【００８２】
このとき、図４の左半分に示す状態にある第２フェールセーフバルブ１２に供給された前進段時クラッチ元圧Ｐｄは、一旦、第２フェールセーフバルブ１２を通過して、上述した第２フェールセーフバルブ１２のバネ室１２ｓに供給される。
【００８３】
第２フェールセーフバルブ１２に付加される力に注目すると、前進段時クラッチ元圧Ｐｄによる力と、バネ室１２ｓに配設されたバネ（図示せず）の力との合算が、プライマリプーリ用ソレノイドバルブ５５からのＰ１圧による力よりも大となることにより、第２フェールセーフバルブ１２は、図４の左半分に示す状態に維持される。
【００８４】
第二リニアソレノイドバルブ２２はノーマルオープン（非制御時に連通）であるため、制御の中止により全開状態となる。第二リニアソレノイドバルブ２２には、マニュアルバルブ２７から上記前進段時クラッチ元圧Ｐｄが供給されており、第２フェールセーフバルブ１２が図４の左半分に示す状態に維持されることにより、クラッチ元圧Ｐｄは第２フェールセーフバルブ１２を通過して、副変速機用第二スプールバルブ２６へ供給される。
【００８５】
このとき、副変速機用第二スプールバルブ２６は、油圧バランスにより図４の左半分に示す状態にあるよう構成されている。このため、クラッチ元圧Ｐｄは、副変速機用第二スプールバルブ２６を通過してスプリットモードクラッチ２０の係合圧Ｐｓとして供給されている。これにより、スプリットモードクラッチ２０の係合状態は維持される。
【００８６】
また、図４において、上記で調圧された前進段時クラッチ元圧Ｐｄは、ソレノイドリレーバルブ２４にも供給されている。前進段時、ソレノイドリレーバルブ２４は油圧バランスにより図４の左半分に示す状態にあるよう構成されている。ソレノイドリレーバルブ２４に供給された前進段時クラッチ元圧Ｐｄは、ソレノイドリレーバルブ２４を介して、第１フェールセーフバルブ１１へ供給される。
【００８７】
上述したように、第１フェールセーフバルブ１１はＰ１圧が導入されることにより、図４の左半分に示す状態から、右半分に示す状態へ移行している。これにより、第１フェールセーフバルブ１１へ供給された前進段時クラッチ元圧Ｐｄは、第１フェールセーフバルブ１１を通過してソレノイドリレーバルブ２４に供給される。
【００８８】
上記でソレノイドリレーバルブ２４に供給された前進段時クラッチ元圧Ｐｄは、ソレノイドリレーバルブ２４を介して、自動変速機用第一スプールバルブ２５へ供給され、自動変速機モード用クラッチ１０の係合圧Ｐｃとして準備される。
【００８９】
以上で、本発明の一実施形態に係る油圧制御装置６０における、フェール時の第１段階の制御が完了する。
【００９０】
《本発明の油圧制御装置の一実施形態におけるフェール時の第２段階の制御ついて》
次に、第２段階の制御について図５を参照しながら詳細に説明する。第２段階の制御では、スプリットモードクラッチ２０の係合圧Ｐｓを遮断し、スプリットモードクラッチ２０を解放してスプリットモードから脱出し、係合圧Ｐｃを自動変速機モードクラッチ１０へ供給し、自動変速機モードに切り替える。
【００９１】
スプリットモードで高速走行中にフェール状態となり、道路が上り坂になる、或いは車両（図示せず）の進行方向の信号が停車信号に切り換わるなどしてブレーキ操作がされる等により、車両速度が低下した場合、変速機ＥＣＵ１５０が故障しているため通常の制御で自動変速機モードに切り換えることはできない。スプリットモードにおける変速比は増速状態、換言すれば有段変速機の６速程度の変速比にあるため、車両速度は低下して、停止状態となる。
【００９２】
車両が停止状態となったとき、上述した第１段階の制御により、トルクコンバータ（図示せず）のロックアップは解除されている。これにより、図示しないエンジン（図１〜図２に２２０として示す）が停止することが防止される。従って、オイルポンプ（図示せず）がエンジン２２０により駆動されている場合において、車両が停止状態でもエンジン２２０は運転が継続され、油圧は出力される。
【００９３】
意図しない車両速度の低下が生じたり、車両（図示せず）の停止が予測される状態になると、一般に運転者（図示せず）は、車両を道路の路肩等に停止させ、シフトレバー（図示せず）をＰレンジ（駐車用レンジ）や、Ｎレンジ（ニュートラルレンジ）に切替え、駐車ブレーキを操作して、車両を安全に停車させる。その後、整備解説書等を読む、シフトレバーを他のレンジへ入れる等、問題解消のための行動をとることを本発明の発明者は知得した。
【００９４】
本発明の第２段階では、上記シフトレバーが前進段以外のレンジにシフトされた場合に、スプリットモードクラッチ２０が解放されてスプリットモードから脱出し、係合圧Ｐｃが自動変速機モードクラッチ１０へ供給されて、自動変速機モードに切り替わる。
【００９５】
一般に、車両のシフトレンジは、例えばＰ−Ｒ―Ｎ−Ｄ−Ｓ−Ｂ（Ｐは駐車用レンジ、Ｒは後退用レンジ、Ｎはニュートラルレンジ、Ｄは通常変速走行レンジ、Ｓはスポーティー走行用レンジ、Ｂはエンジンブレーキ用レンジ）の順のシフトパターンを備えている。
【００９６】
運転者がシフトレバーをＤレンジからＰレンジへ操作すると、図５のマニュアルバルブ２７も、図示しない連動手段によりＤレンジ位置からＰレンジ位置へ軸方向に移動される。図５に示すマニュアルバルブ２７の図の下半分は、Ｒレンジ（後退用レンジ）位置の状態を示す。上記したシフトパターンで、シフトレバーがＤレンジからＰレンジへ操作されるとき、Ｒレンジを通過する。
【００９７】
上記でシフトレバーがＲレンジとなったとき、図５のマニュアルバルブ２７は、図の下半分に示す状態となる。
【００９８】
上記によって、マニュアルバルブ２７へ供給されているフェール時ライン圧Ｐｆは、マニュアルバルブ２７により遮断される。このため、前進段時クラッチ元圧Ｐｄがマニュアルバルブ２７から出力されない状態となる。
【００９９】
上記により、第２フェールセーフバルブ１２を図４の左半分に示す状態に維持していた前進段時クラッチ元圧Ｐｄも供給されなくなり、第２フェールセーフバルブ１２は、プライマリプーリ用ソレノイドバルブ５５からの導入圧が優先されて、図４の左半分に示す状態から、右半分に示す状態へ移行する。
【０１００】
第２フェールセーフバルブ１２が右半分に示す状態へ移行すると、スプリットモードクラッチ２０を制御する第二リニアソレノイドバルブ２２から、副変速機用第二スプールバルブ２６への回路が、第２フェールセーフバルブ１２により遮断される。これにより、スプリットモードクラッチ２０の係合圧Ｐｓは遮断され、スプリットモードクラッチ２０は強制的に解放状態となる。
【０１０１】
また、上記により、副変速機用第二スプールバルブ２６は、図５の左半分に示す状態から、右半分に示す状態へ移行する。自動変速機用第一スプールバルブ２５は、紙面上方から下方押し下げていた圧Ｐｄが供給されなくなる。これにより、自動変速機用第一スプールバルブ２５は、図５の右半分に示す状態から、左半分に示す状態へ移行される。
【０１０２】
自動変速機用第一スプールバルブ２５が左半分に示す状態へ移行することにより、上述した第１段階の制御において、予め自動変速機モード用クラッチ１０の係合圧として準備されていた係合圧Ｐｃが、自動変速機モードクラッチ１０へ供給される。これにより、自動変速機モードクラッチ１０が係合され、自動変速機モードに切り替わる。
【０１０３】
本発明の油圧制御装置６０における第２段階の制御では、上述したように、まず、上記シフトレバーが前進段以外のレンジに操作されたとき、即ちマニュアルバルブ２７が前進段以外の位置へ移動されたとき、スプリットモードクラッチ２０の係合圧Ｐｓが遮断され、スプリットモードクラッチ２０は強制的に解放状態となる。これにより、スプリットモードから脱出する。次に、係合圧Ｐｃが自動変速機モードクラッチ１０へ供給されることで、自動変速機モードに切り替わる。
【０１０４】
以上で、本発明の油圧制御装置６０における第２段階の制御が完了する。
【０１０５】
上述した第１段階の制御、及び第２段階の制御によれば、第１段階の制御では、図示しないトルクコンバータのロックアップを解除しており、車両（図示せず）が停車した場合でもエンジン２２０が停止することを防止できる。また、自動変速機１００の変速比を略１に移行し、自動変速機モード用クラッチ圧Ｐｃを供給可能な状態にしている。
【０１０６】
第２段階の制御では、スプリットモード用クラッチ２０の係合圧Ｐｓを遮断し、スプリットモードから脱出させ、次に、自動変速機モードクラッチ１０へ係合圧Ｐｃが供給されることで、自動変速機モードに切り替わる。これにより、安全かつ確実にフェールセーフモードへの切替えができ、変速比が略１、即ち有段変速機の３速相当の変速比で走行してリンプホームが可能となる。
【０１０７】
《本発明の油圧制御装置の別実施形態におけるフェール時の第１段階の制御ついて》
本発明の別実施形態に係る油圧制御装置２６０の、フェール時の第１段階の制御ついて、図１、及び図６〜図７を参照しながら、主に、上記で説明した本発明の一実施形態に係る油圧制御装置６０と異なる点について説明する。
【０１０８】
本発明の別実施形態に係る油圧制御装置２６０が用いられる、図１の油圧制御部１２０の油圧回路例の略図である図６に示すように、油圧制御装置２６０は、少なくとも、フェールセーフバルブ（第１フェールセーフバルブ）１１と、副変速機用第二スプールバルブ１２６とを備える。副変速機用第二スプールバルブ１２６はプランジャースプールバルブであって、上述した本発明の一実施形態に係る油圧制御装置６０における第２フェールセーフバルブ１２と、副変速機用第二スプールバルブ２６とを兼ねる。
【０１０９】
油圧制御装置２６０においてフェール時に第１段階で行われる制御の概要を示す略図である図７に示すように、フェールセーフバルブ１１は、フェール時に図１の自動変速機１００を所定の変速比に移行し、トルクコンバータ（図示せず）のロックアップを解除し、図７の自動変速機モード用クラッチ１０に自動変速機モード用クラッチ１０の係合圧Ｐｃを供給可能にする。ここで自動変速機モード用クラッチ１０の係合圧Ｐｃは、上述したものと同様に、モジュレータ圧Ｐｍがマニュアルバルブ２７を介して供給された前進段時クラッチ元圧Ｐｄである。
【０１１０】
また、副変速機用第二スプールバルブ１２６は、プライマリプーリ用ソレノイドバルブ５５からの導入圧Ｐ１を受けたフェールセーフバルブ１１からのモジュレータ圧Ｐｍと、モジュレータ圧Ｐｍがマニュアルバルブ２７を介して供給される前進段時クラッチ元圧Ｐｄとにより作動する。
【０１１１】
マニュアルバルブ２７が前進段のときは、マニュアルバルブ２７からの前進段時クラッチ元圧Ｐｄが優先されてスプリットモードを維持する。詳述すると、マニュアルバルブ２７が前進段のとき、副変速機用第二スプールバルブ１２６は図７の左半分に示す状態にある。
【０１１２】
これにより、第二リニアソレノイドバルブ２２からの前進段時クラッチ元圧Ｐｄが副変速機用第二スプールバルブ１２６を通過して、スプリットモード用クラッチ２０へ係合圧Ｐｓとして供給される。これにより、スプリットモードが維持され、自動変速機モードへの急激なモード切替えが防止される。
【０１１３】
《本発明の油圧制御装置の別実施形態におけるフェール時の第２段階の制御ついて》
本発明の油圧制御装置の別実施形態におけるフェール時の第２段階の制御ついて、本発明の別実施形態に係る油圧制御装置においてフェール時に第２段階で行われる制御の概要を示す略図である図８を参照しながら、主に、上記で説明した本発明の一実施形態に係る油圧制御装置６０と異なる点について説明する。
【０１１４】
第２段階の制御では、マニュアルバルブ１７が前進段以外にシフトされると、フェールセーフバルブ１１からのフェール時ライン圧Ｐｆが優先されて自動変速機モードに切り替わる。換言すると、上記シフトレバーが前進段以外のレンジにシフトされた場合に、スプリットモードクラッチ２０が解放されてスプリットモードから脱出し、係合圧Ｐｃが自動変速機モードクラッチ１０へ供給されて、自動変速機モードに切り替わる。
【０１１５】
本発明の油圧制御装置の一実施形態で説明したように、運転者がシフトレバーをＤレンジからＰレンジへ操作すると、マニュアルバルブ２７も、図示しない連動手段によりＤレンジ位置からＰレンジ位置へ軸方向に移動される。図８に示すマニュアルバルブ２７の図の下半分は、Ｐレンジ（駐車用レンジ）位置の状態を示す。
【０１１６】
上記によって、マニュアルバルブ２７へ供給されているモジュレータ圧Ｐｍは、マニュアルバルブ２７により遮断される。このため、前進段時クラッチ元圧Ｐｄがマニュアルバルブ２７から出力されない状態となる。これにより、副変速機用第二スプールバルブ１２６を図８の左半分に示す状態に維持していた前進段時クラッチ元圧Ｐｄが供給されなくなる。
【０１１７】
上記により、副変速機用第二スプールバルブ１２６は、図８の左半分に示す状態から、右半分に示す状態へ移行する。これにより、自動変速機用第一スプールバルブ２５を紙面上方から下方押し下げていた前進段時クラッチ元圧Ｐｄが遮断され、自動変速機用第一スプールバルブ２５は、図８の右半分に示す状態から、左半分に示す状態へ移行される。
【０１１８】
自動変速機用第一スプールバルブ２５が左半分に示す状態へ移行することにより、上述した第１段階の制御において、予め自動変速機モード用クラッチ１０の係合圧として準備されていた係合圧Ｐｃが、自動変速機用第一スプールバルブ２５を通過して自動変速機モードクラッチ１０へ供給される。これにより、自動変速機モードクラッチ１０が係合され、自動変速機モードに切り替わる。
【０１１９】
本発明の別実施形態に係る油圧制御装置２６０における第２段階の制御では、上述したように、まず、上記シフトレバーが前進段以外のレンジに操作されたとき、即ちマニュアルバルブ２７が前進段以外の位置へ移動されたとき、スプリットモードクラッチ２０の係合圧Ｐｓが遮断され、スプリットモードクラッチ２０は強制的に解放状態となる。これにより、スプリットモードから脱出する。次に、係合圧Ｐｃが自動変速機モードクラッチ１０へ供給されることで、自動変速機モードに切り換わる。
【０１２０】
以上で、本発明の別実施形態に係る油圧制御装置２６０における第２段階の制御が完了する。
【０１２１】
尚、上記ではフェール状態となったときに、運転者（図示せず）が車両（図示せず）を道路の路肩等に停止させ、シフトレバーを操作することを前提として説明したが、例えば、車両の備える情報表示手段、例えば警告灯やマルチインフォメーションディスプレー（図示せず）により、運転者に路肩へ停車するよう促すことが好ましい。
【０１２２】
また、上記ではオイルポンプ（図示せず）はエンジン２２０により駆動されることとしたが、電動ポンプを備えることとしても良い。これにより、フェールセーフ時の停車時にエンジン２２０が運転を停止した場合でも、上記電動ポンプにより発生させた油圧を用いてトルコン（図示せず）の図示しない直結クラッチを開放して、エンジンを再始動させることができる。
【０１２３】
尚、本実施形態では、ノーマルオープンのプライマリプーリ用ソレノイドバルブ５５からの導入圧Ｐ１によりフェールセーフモードへの切替えが行われることとしたが、これに限られるものではなく、所要の圧を発生可能であれば、どのソレノイドバルブを用いても良い。
【０１２４】
また、本発明の油圧制御装置６０は、上述した実施形態に限られるものではなく、自動変速機等の主変速機と、副変速機とを備えたスプリット型自動変速機に適用可能であり、その構成の一例を図９に略示する。
【０１２５】
以上、本発明の油圧制御装置についての実施形態およびその概念について説明してきたが本発明はこれに限定されるものではなく、特許請求の範囲および明細書等に記載の精神や教示を逸脱しない範囲で他の変形例、改良例が得られることが当業者は理解できるであろう。
【符号の説明】
【０１２６】
２  前進クラッチ
３、４  ギヤ
６  トルクコンバータ
７  ロックアップクラッチ
１０  自動変速機モードクラッチ
１１  第１フェールセーフバルブ
１２  第２フェールセーフバルブ
２０  スプリットモードクラッチ
２１  第一リニアソレノイドバルブ
２２  第二リニアソレノイドバルブ
２４  ソレノイドリレーバルブ
２５  自動変速機用第一スプールバルブ
２６（１２６）  副変速機用第二スプールバルブ
３０  遊星ギヤ
３２  リングギヤ
３４  大径スプロケット
３６  小径スプロケット
３８  チェーン
５５  プライマリプーリ用ソレノイドバルブ
６０  本発明の一実施形態に係る油圧制御装置
２６０  本発明の別実施形態に係る油圧制御装置
７０  クラッチモジュレータバルブ
１００  ベルト式自動変速機（ＣＶＴ）
１０２  ＣＶＴベルト
１０４  プライマリプーリ
１０６  セカンダリプーリ
１１０  副変速機
１２０  油圧制御部
１３０  駆動輪
１５０  スプリット型自動変速機ＥＣＵ
１５１  内燃機関ＥＣＵ
１５２  自動変速機クラッチ圧制御信号
１５４  副変速機クラッチ圧制御信号
１５６  ロックアップクラッチ制御圧信号
１５８  燃料噴射制御信号
１６０  油圧制御装置
２００  スプリット型自動変速機
２２０  内燃機関
２４０  出力軸
２５０  デファレンシャルギヤ
Ｐ１  フェール時のプライマリプーリ用ソレノイドバルブからの出力圧
Ｐｆ  フェール時ライン圧
Ｐｃ  自動変速機モード用クラッチの係合圧
Ｐｓ  スプリットモード用クラッチの係合圧
Ｐｐ  油圧発生手段で発生される圧
Ｐｍ  クラッチモジュレータ圧
Ｐｕ  ロックアップ元圧
Ｐｄ  前進段時クラッチ元圧
Ｐｐｆ  フェール時のプライマリ圧
【図１】
0006405528.tif 000002
【図２】
0006405528.tif 000003
【図３】
0006405528.tif 000004
【図４】
0006405528.tif 000005
【図５】
0006405528.tif 000006
【図６】
0006405528.tif 000007
【図７】
0006405528.tif 000008
【図８】
0006405528.tif 000009
【図９】
0006405528.tif 000010